(57)【要約】【課題】利用者の乗車階／降車階情報を利用者個人に個人携帯端末から入力させることにより、ビル管理部門の負荷を軽減することができるとともに、利用者が個人携帯端末を操作する回数を削減することにより、操作性を向上することができるエレベーターシステムを提供すること。【解決手段】個人携帯端末２からあらかじめ入力された乗車階／降車階情報を記憶する管理装置６を設け、エレベーター１０を利用する毎に個人携帯端末２を用いて行き／帰り情報が入力されると、管理装置６に記憶された乗車階／降車階情報に基づいてエレベーター１０の運行を制御するようにした。【選択図】　　　　図２
2004059297.tif 000002
【特許請求の範囲】
【請求項１】
個人携帯端末を用いて呼び登録を行うエレベーターシステムにおいて、
エレベーターを利用する毎に個人携帯端末を用いて乗車階／降車階情報を入力し、入力された乗車階／降車階情報に基づいてエレベーター制御装置によりエレベーターの運行を制御するようにしたことを特徴とするエレベーターシステム。
【請求項２】
個人携帯端末を用いて呼び登録を行うエレベーターシステムにおいて、
個人携帯端末からあらかじめ入力された乗車階／降車階情報を記憶する管理装置を設け、エレベーターを利用する毎に個人携帯端末を用いて行き／帰り情報が入力されると、上記管理装置に記憶された乗車階／降車階情報に基づいてエレベーター制御装置によりエレベーターの運行を制御するようにしたことを特徴とするエレベーターシステム。
【請求項３】
行き／帰り情報の確定と同時に上記管理装置に送信するようにした請求項２に記載のエレベーターシステム。
【請求項４】
行き／帰り情報の入力に関するアプリケーションを選択確定して一定時間経過後、上記管理装置に記憶された行き／帰り情報の確定と送信を自動的に行うようにした請求項２あるいは３に記載のエレベーターシステム。
【請求項５】
行き／帰りのデフォルト画面を時間帯により変更するようにした請求項２乃至４のいずれか１項に記載のエレベーターシステム。
【請求項６】
行き／帰りのデフォルト画面を利用する毎に、デフォルト画面を「行き」と「帰り」でトグルするようにした請求項２乃至５のいずれか１項に記載のエレベーターシステム。
【発明の詳細な説明】
【０００１】
【発明の属する技術分野】
本発明は、携帯電話等の個人携帯端末を利用してエレベーターを呼び出すようにしたエレベーターシステムに関する。
【０００２】
【従来の技術】
特開平７−３２１９３６号公報には、携帯電話等の個人携帯端末を利用したエレベーターの呼び登録装置が開示されており、この公報に記載のエレベーターの呼び登録装置は、携帯電話を利用して利用者の資格の有無を判定することによりセキュリティの向上を図っている。
【０００３】
【発明が解決しようとする課題】
しかしながら、このような従来のエレベーターの呼び登録装置にあっては、利用者の資格情報や乗車階／降車階情報を各ビルのエレベーター毎に入力し管理する必要があり、ビル管理部門の負荷が大きくなるという問題があった。
【０００４】
本発明は、従来技術の有するこのような問題点に鑑みてなされたものであり、利用者の乗車階／降車階情報を利用者個人に個人携帯端末から入力させることにより、ビル管理部門の負荷を軽減することができるとともに、利用者が個人携帯端末を操作する回数を削減することにより、操作性を向上することができるエレベーターシステムを提供することを目的としている。
【０００５】
【課題を解決するための手段】
上記目的を達成するために、本発明のうちで請求項１に記載の発明は、個人携帯端末を用いて呼び登録を行うエレベーターシステムにおいて、エレベーターを利用する毎に個人携帯端末を用いて乗車階／降車階情報を入力し、入力された乗車階／降車階情報に基づいてエレベーター制御装置によりエレベーターの運行を制御するようにしたことを特徴とする。
【０００６】
また、請求項２に記載の発明は、個人携帯端末を用いて呼び登録を行うエレベーターシステムにおいて、個人携帯端末からあらかじめ入力された乗車階／降車階情報を記憶する管理装置を設け、エレベーターを利用する毎に個人携帯端末を用いて行き／帰り情報が入力されると、上記管理装置に記憶された乗車階／降車階情報に基づいてエレベーター制御装置によりエレベーターの運行を制御するようにしたことを特徴とする。
【０００７】
さらに、請求項３に記載の発明は、行き／帰り情報の確定と同時に上記管理装置に送信するようにしたことを特徴とする。
【０００８】
また、請求項４に記載の発明は、行き／帰り情報の入力に関するアプリケーションを選択確定して一定時間経過後、上記管理装置に記憶された行き／帰り情報の確定と送信を自動的に行うようにしたことを特徴とする。
【０００９】
また、請求項５に記載の発明は、行き／帰りのデフォルト画面を時間帯により変更するようにしたことを特徴とする。
【００１０】
また、請求項６に記載の発明は、行き／帰りのデフォルト画面を利用する毎に、デフォルト画面を「行き」と「帰り」でトグルするようにしたことを特徴とする。
【００１１】
【発明の実施の形態】
以下、本発明の実施の形態について、図面を参照しながら説明する。
実施の形態１．
図１は本発明にかかるエレベーターシステムの実施の形態１を示しており、利用者の乗車階／降車階情報を入力する個人携帯端末２と、個人携帯端末２から入力された乗車階／降車階情報や個人携帯端末２に固有の個人ＩＤを受信する受信装置４と、呼び登録情報を記憶する呼び登録情報記憶部６ａを有する管理装置６と、呼び登録情報記憶部６ａに記憶された呼び登録情報に基づいてエレベーター１０の運行を制御するエレベーター制御装置８と、エレベーター制御装置８により制御されるエレベーター１０とにより構成されている。
【００１２】
次に、上記構成の本発明にかかるエレベーターシステムにおいて、利用者が個人携帯端末２から乗車階／降車階情報を入力する場合の画面シーケンスについて、図２を参照して説明する。
【００１３】
まず、＜画面１−１＞に示されるように、種々のアプリケーションが表示されるので、乗車階／降車階情報の入力に関するアプリケーションを選択し、確定する。次に＜画面１−２＞に示されるメニューが表示され、「乗車階」を確定した後、＜画面１−３＞において、所望の乗車階を選択し、確定する。その後、＜画面１−４＞に示されるメニューが表示され、「降車階」を選択し、＜画面１−５＞に示されるように、「降車階」を確定する。さらに、＜画面１−６＞において、所望の降車階を選択し、確定した後、＜画面１−７＞に示されるメニューで「送信」を選択し、＜画面１−８＞において確定する。
【００１４】
なお、図２における丸囲み数字は、利用者の個人携帯端末２の操作回数を示している。
【００１５】
このようにして個人携帯端末２から入力された乗車階／降車階情報は、個人携帯端末２に固有の個人ＩＤとともに受信装置４に送信される。この個人ＩＤ、乗車階／降車階情報等により構成される呼び登録情報は管理装置６の呼び登録情報記憶部６ａに記憶される。
【００１６】
図３は、呼び登録情報記憶部６ａに記憶される呼び登録情報の一例を示している。
【００１７】
呼び登録情報記憶部６ａに記憶された呼び登録情報はエレベーター制御装置８に入力され、エレベーター制御装置８は入力された呼び登録情報に基づいてエレベーター１０の運行を制御する。
【００１８】
このように、利用者がエレベーター１０を利用する毎に、乗車階／降車階情報を利用者自身が入力して送信することにより、必要な呼び登録情報をあらかじめビルの管理者等が入力しておく必要がなく、ビル管理部門の負荷を軽減することができる。
【００１９】
実施の形態２．
上述した実施の形態１においては、利用者がエレベーター１０を利用する毎に、乗車階／降車階情報を入力するようにしたが、図４に示されるように、管理装置６に個人情報記憶部６ｂを設け、利用者が頻繁に利用する乗車階／降車階情報を個人携帯端末２によりあらかじめ入力しておき、個人ＩＤとともに個人情報記憶部６ｂに記憶しておくこともできる。
【００２０】
この場合、通常の利用時（呼び登録時）は、行き／帰り情報のみを入力すればよく、行き／帰り情報を入力する場合の画面シーケンスについて、図５を参照して説明する。
【００２１】
まず、＜画面２−１＞に示されるように、種々のアプリケーションが表示されるので、行き／帰り情報の入力に関するアプリケーションを選択し、確定する。次に＜画面２−２＞に示されるメニューが表示され、「行き」を確定した後、＜画面２−３＞において、「帰り」を選択し、確定する。その後、＜画面２−４＞に示されるメニューで「送信」を選択し、＜画面２−５＞において確定する。
【００２２】
このようにして個人携帯端末２から入力された行き／帰り情報は、個人携帯端末２に固有の個人ＩＤとともに受信装置４に送信される。「行き」の場合は、管理装置６の個人情報記憶部６ｂに記憶されている乗車階／降車階情報がそのまま呼び登録情報記憶部６ａにコピーされる。「帰り」の場合は、管理装置６の個人情報記憶部６ｂに記憶されている乗車階／降車階情報が逆になり、降車階／乗車階として呼び登録情報記録部６ａにコピーされる。
【００２３】
図６（ａ）は、個人情報記憶部６ｂに記憶されている個人情報の一例を、図６（ｂ）は呼び登録情報記憶部６ａに記憶される呼び登録情報の一例を示している。
【００２４】
呼び登録情報記憶部６ａに記憶された呼び登録情報はエレベーター制御装置８に入力され、エレベーター制御装置８は入力された呼び登録情報に基づいてエレベーター１０の運行を制御する。
【００２５】
このように、個人情報登録時に、利用者が乗車階／降車階情報をあらかじめ入力しておき、呼び登録時には、行き／帰り情報のみを入力するようにすれば、個人携帯端末を操作する回数が減少し、操作性が向上する。
【００２６】
すなわち、図２に示されるように、乗車階／降車階情報を入力するための画面シーケンスでは、選択や確定のために、アプリケーションの立ち上げから１１回の操作が必要であるのに対し、本実施の形態においては、図５に示されるように、行き／帰り情報を入力するための画面シーケンスで選択や確定のために、アプリケーションの立ち上げからの操作が７回に減少する。
【００２７】
実施の形態３．
また、行き／帰り情報を入力する個人携帯端末２の画面シーケンスを、図７に示されるように、「行き」をデフォルトとして設定し、「行き」を確定すると同時に送信も開始するようにしてもよい。
【００２８】
さらに詳述すると、＜画面３−１＞に示されるように、種々のアプリケーションがまず表示されるので、行き／帰り情報の入力に関するアプリケーションを選択し、確定する。次に＜画面３−２ａ＞に示されるメニューが表示され、デフォルトとして設定した「行き」を確定すると、同時に送信も開始する。一方、「帰り」を設定したい場合には、＜画面３−２ｂ＞において、「帰り」を選択し、確定した後、送信が行われる。
【００２９】
このようにすれば、「行き」の場合でアプリケーションの立ち上げから３回の操作で済み、「帰り」の場合でも、アプリケーションの立ち上げから４回の操作で済むので、操作性がさらに向上する。
【００３０】
実施の形態４．
さらに、行き／帰り情報を入力する個人携帯端末２の画面シーケンスを、図８に示されるように、「行き」をデフォルトとして設定し、一定時間が経過すると自動的に「行き」を確定し、同時に送信を開始することもできる。逆に、「帰り」に変更したい場合には、一定時間内に「Ｃａｎｃｅｌ」ボタンを押してから変更するようにする。
【００３１】
さらに詳述すると、＜画面４−１＞に示されるように、種々のアプリケーションがまず表示されるので、行き／帰り情報の入力に関するアプリケーションを選択し、確定する。「行き」はデフォルトとして設定されているので、「行き」の場合は無操作で一定時間経過後、自動的に「行き」が呼び登録情報として受信装置４を介して管理装置６に送信される。
【００３２】
逆に、「帰り」に変更したい場合には、＜画面４−２＞において、一定時間内に「Ｃａｎｃｅｌ」ボタンを押して確定し、次の＜画面４−３＞において、「帰り」を選択し、＜画面４−４＞に示されるように「帰り」を確定した後、送信が行われる。
【００３３】
このようにすれば、「行き」の場合、アプリケーションの立ち上げから２回の操作で済み、「帰り」の場合でも、アプリケーションの立ち上げから５回の操作で済む。したがって、「行き」の場合の操作性がさらに向上する。
【００３４】
実施の形態５．
また、行き／帰り情報を入力する個人携帯端末２の画面シーケンスを、図９に示されるように、デフォルトの画面が固定ではなく、時間帯によってデフォルトの画面を変更するようにしてもよい。
【００３５】
例えば、出勤の時間帯（朝あるいは午前中）は「行き」をデフォルトに、退勤の時間帯（夕方あるいは午後）は「帰り」をデフォルトの画面に設定し、一定時間が経過すると自動的にデフォルト設定で確定し、同時に送信を開始するように設定する。逆に、デフォルト設定を変更したい場合には、一定時間内に「Ｃａｎｃｅｌ」ボタンを押してから変更するようにする。
【００３６】
さらに詳述すると、＜画面５−１＞に示されるように、種々のアプリケーションがまず表示されるので、行き／帰り情報の入力に関するアプリケーションを選択し、確定する。出勤の時間帯（朝あるいは午前中）は、＜画面５−２ａ＞に示されるように「行き」がデフォルトに設定されており、退勤の時間帯（夕方あるいは午後）は、＜画面５−２ｂ＞に示されるように「帰り」がデフォルトの画面に設定されているので、変更しない場合は無操作で一定時間経過後、自動的に呼び登録情報として受信装置４を介して管理装置６に送信される。
【００３７】
変更したい場合には、＜画面５−２ａ＞あるいは＜画面５−２ｂ＞において、一定時間内に「Ｃａｎｃｅｌ」ボタンを押して確定し、次の＜画面５−３＞において、「行き」あるいは「帰り」のいずれかを選択し、＜画面５−４＞に示されるように「行き」あるいは「帰り」を確定した後、送信が行われる。
【００３８】
このようにすれば、デフォルト設定の変更がない場合、アプリケーションの立ち上げから２回の操作で済み、デフォルト設定を変更する場合でも、アプリケーションの立ち上げから５回の操作で済む。しかも、デフォルト設定を変更しなくてもよいケースが増加するため、操作性がさらに向上する。
【００３９】
実施の形態６．
上述した実施の形態５においては、時間帯によってデフォルトの画面を変更する場合について説明したが、呼び登録を行う毎にデフォルト画面が「行き」と「帰り」をトグルする（交互に繰り返す）ようにしてもよい。通常の利用では、前回の呼び登録での降車階が次の呼び登録での乗車階となる確率が高いと予想されるため、デフォルト画面を「行き」と「帰り」でトグルすることにより、デフォルト設定を変更しなくてもよいケースが増加し、操作性がさらに向上する。
【００４０】
実施の形態７．
また、時間帯によってデフォルトの画面を変更するとともに、呼び登録を行う毎にデフォルト画面が「行き」と「帰り」をトグルするようにしてもよい。
【００４１】
この場合、出勤の時間帯（朝あるいは午前中）は、「行き」がデフォルトに設定されており、退勤の時間帯（夕方あるいは午後）は、「帰り」がデフォルトの画面に設定されているので、変更しない場合は無操作で一定時間経過後、自動的に呼び登録情報として受信装置４を介して管理装置６に送信される。
【００４２】
一方、出勤した後、さらに出勤の時間帯に外出する必要が生じた場合や、退勤した後、さらに退勤の時間帯に出社する必要が生じた場合でも、呼び登録を行う毎にデフォルト画面が「行き」と「帰り」をトグルするように設定されていることから、前者の場合は「帰り」が、後者の場合は「行き」がデフォルトの画面にそれぞれ設定されており、デフォルトの画面を変更する必要がない。
【００４３】
また、前日「行き」で操作を終了したとしても、翌日の出勤時間帯は、「行き」が必ずデフォルト画面に設定されることになるので、デフォルト設定を変更しなくてもよいケースが増加し、操作性がさらに向上する。
【００４４】
【発明の効果】
本発明は、以上説明したように構成されているので、以下に記載されるような効果を奏する。
本発明のうちで請求項１に記載の発明によれば、エレベーターを利用する毎に個人携帯端末を用いて入力された乗車階／降車階情報に基づいてエレベーターの運行を制御するようにしたので、乗車階／降車階情報をあらかじめ登録しておく必要がなく、ビル管理部門の負荷を軽減することができる。
【００４５】
また、請求項２に記載の発明によれば、エレベーターを利用する毎に個人携帯端末を用いて行き／帰り情報が入力されると、管理装置に記憶された乗車階／降車階情報に基づいてエレベーターの運行を制御するようにしたので、乗車階／降車階情報を入力する場合に比べて、行き／帰り情報のみを入力すればよく、個人携帯端末の操作回数が減少して操作性が向上する。
【００４６】
さらに、請求項３に記載の発明によれば、行き／帰り情報の確定と同時に管理装置に送信するようにしたので、個人携帯端末の操作回数が減少して操作性が向上する。
【００４７】
また、請求項４に記載の発明によれば、行き／帰り情報の入力に関するアプリケーションを選択確定して一定時間経過後、管理装置に記憶された行き／帰り情報の確定と送信を自動的に行うようにしたので、個人携帯端末の操作回数がさらに減少して操作性が向上する。
【００４８】
また、請求項５に記載の発明によれば、行き／帰りのデフォルト画面を時間帯により変更するようにしたので、デフォルト画面を変更しなくてもよいケースが増加し、個人携帯端末の操作回数がさらに減少して操作性が向上する。
【００４９】
また、請求項６に記載の発明によれば、行き／帰りのデフォルト画面を利用する毎に、デフォルト画面を「行き」と「帰り」でトグルするようにしたので、デフォルト画面を変更しなくてもよいケースが増加し、個人携帯端末の操作回数がさらに減少して操作性が向上する。
【００５０】
さらに、請求項６に記載の発明によれば、デフォルト画面を「行き」と「帰り」でトグルするように設定するとともに、行き／帰りのデフォルト画面を時間帯により変更するようにしたので、さらに操作性が向上する。
【図面の簡単な説明】
【図１】本発明にかかるエレベーターシステムの実施の形態１のブロック図である。
【図２】本発明の実施の形態１において乗車階／降車階情報を入力する場合の個人携帯端末の画面シーケンスである。
【図３】図１に示される呼び登録情報記憶部に記憶される呼び登録情報の一例を示す図である。
【図４】本発明にかかるエレベーターシステムの実施の形態２のブロック図である。
【図５】本発明の実施の形態２において乗車階／降車階情報を入力する場合の個人携帯端末の画面シーケンスである。
【図６】（ａ）は図４に示される個人情報記憶部に記憶される個人登録情報の一例を示す図であり、（ｂ）は図４に示される呼び登録情報記憶部に記憶される呼び登録情報の一例を示す図である。
【図７】本発明にかかるエレベーターシステムの実施の形態３において行き／帰り情報を入力する場合の個人携帯端末の画面シーケンスである。
【図８】本発明にかかるエレベーターシステムの実施の形態４において行き／帰り情報を入力する場合の個人携帯端末の画面シーケンスである。
【図９】本発明にかかるエレベーターシステムの実施の形態５において行き／帰り情報を入力する場合の個人携帯端末の画面シーケンスである。
【符号の説明】
２　個人携帯端末、　４　受信装置、　６　管理装置、
６ａ　呼び登録情報記憶部、　６ｂ　個人情報記憶部、
８　エレベーター制御装置、　１０　エレベーター。
【図１】
2004059297.tif 000003
【図２】
2004059297.tif 000004
【図３】
2004059297.tif 000005
【図４】
2004059297.tif 000006
【図５】
2004059297.tif 000007
【図６】
2004059297.tif 000008
【図７】
2004059297.tif 000009
【図８】
2004059297.tif 000010
【図９】
2004059297.tif 000011